(57)【要約】  本発明は、番組に含まれる字幕を、有効に利用することができる受信装置、表示制御方法、及びプログラムに関する。ＴＶ受像機１において、チューナ１１Ａ乃至１１Ｃは、それぞれ番組を受信するチューナであり、表示部１６は、デジタルチューナ１１Ａが受信したメイン番組の画像とともに、デジタルチューナ１１Ｂが受信した対象番組に含まれる字幕データに関係する字幕関係情報を表示する。本発明は、例えば、放送される番組を受信する複数のチューナを有するＴＶ受像機等に適用できる。
2008018479.tif 000002
【特許請求の範囲】
【請求項１】
番組を受信する受信装置において、
番組を受信する複数の受信手段と、
画像を表示する表示手段に、前記複数の受信手段のうちの１の受信手段が受信した番組の画像とともに、他の受信手段が受信した番組に含まれる字幕データに関係する字幕関係情報を表示させる表示制御手段と
を備える受信装置。
【請求項２】
前記表示制御手段は、前記表示手段に、前記他の受信手段が受信した番組に含まれる字幕データを、前記字幕関係情報として表示させる
請求項１に記載の受信装置。
【請求項３】
前記他の受信手段が受信した番組に含まれる字幕データに、あらかじめ指定されたキーワードが含まれるかどうかを判定する判定手段をさらに備え、
前記表示制御手段は、前記字幕データに、前記キーワードが含まれるとき、前記字幕データに、前記キーワードが含まれる旨を、前記字幕関係情報として表示させる
請求項１に記載の受信装置。
【請求項４】
前記表示手段をさらに備える
請求項１に記載の受信装置。
【請求項５】
番組を受信する複数の受信手段を備える受信装置の、前記受信手段が受信した番組の画像を表示させる表示制御方法において、
画像を表示する表示手段に、前記複数の受信手段のうちの１の受信手段が受信した番組の画像とともに、他の受信手段が受信した番組に含まれる字幕データに関係する字幕関係情報を表示させる
ステップを含む表示制御方法。
【請求項６】
番組を受信する複数の受信手段を備える受信装置を制御するコンピュータに、前記受信手段が受信した番組の画像を表示させる表示制御処理を実行させるプログラムにおいて、  画像を表示する表示手段に、前記複数の受信手段のうちの１の受信手段が受信した番組の画像とともに、他の受信手段が受信した番組に含まれる字幕データに関係する字幕関係情報を表示させる
ステップを含むプログラム。
【発明の詳細な説明】
【技術分野】
【０００１】
本発明は、受信装置、表示制御方法、及びプログラムに関し、特に、例えば、放送される番組を受信する複数のチューナを有するTV(Television)受像機等において、番組に含まれる字幕を、有効に利用することができるようにする受信装置、表示制御方法、及びプログラムに関する。
【背景技術】
【０００２】
例えば、デジタル放送では、番組として、画像と音声の他に、字幕を含めて放送することができる。デジタル放送の番組を受信するTV受像機では、例えば、番組に含まれる画像に、その番組に含まれる字幕を重畳して表示することができる。【０００３】
なお、テレビ画像の中の特定領域に表示された字幕情報を、所定の抽出条件に従って抽出して記憶する情報収集装置が提案されている（例えば、特許文献１参照）。【０００４】
また、TVチューナから出力される画像データから文字データを抽出し、その文字データと、所望の番組のキーワードとが一致したときに、表示データを、TVチューナから出力される画像データに強制的に切り替える表示装置がある（例えば、特許文献２参照）。【０００５】
【特許文献１】特開平１０−３０８９２１号公報
【特許文献２】特開平１１−１１２８７４号公報
【発明の開示】
【発明が解決しようとする課題】
【０００６】
ところで、番組に含まれる字幕を有効に利用する手法の提案が要請されている。【０００７】
本発明は、このような状況に鑑みてなされたものであり、例えば、放送される番組を受信する複数のチューナを有するTV受像機等において、番組に含まれる字幕を、有効に利用することができるようにするものである。
【課題を解決するための手段】
【０００８】
本発明の一側面の受信装置は、番組を受信する受信装置において、番組を受信する複数の受信手段と、画像を表示する表示手段に、前記複数の受信手段のうちの１の受信手段が受信した番組の画像とともに、他の受信手段が受信した番組に含まれる字幕データに関係する字幕関係情報を表示させる表示制御手段とを備える。【０００９】
本発明の一側面の受信装置には、前記他の受信手段が受信した番組に含まれる字幕データに、あらかじめ指定されたキーワードが含まれるかどうかを判定する判定手段をさらに設け、前記表示制御手段には、前記字幕データに、前記キーワードが含まれるとき、前記字幕データに、前記キーワードが含まれる旨を、前記字幕関係情報として表示させることができる。【００１０】
本発明の一側面の受信装置には、前記表示手段をさらに設けることができる。【００１１】
本発明の一側面の表示制御方法、またはプログラムは、番組を受信する複数の受信手段を備える受信装置の、前記受信手段が受信した番組の画像を表示させる表示制御方法、または前記受信装置を制御するコンピュータに、前記受信手段が受信した番組の画像を表示させる表示制御処理を実行させるプログラムにおいて、画像を表示する表示手段に、前記複数の受信手段のうちの１の受信手段が受信した番組の画像とともに、他の受信手段が受信した番組に含まれる字幕データに関係する字幕関係情報を表示させるステップを含む。【００１２】
本発明の一側面においては、受信装置が、番組を受信する複数の受信手段を有している。そして、画像を表示する表示手段に、前記複数の受信手段のうちの１の受信手段が受信した番組の画像とともに、他の受信手段が受信した番組に含まれる字幕データに関係する字幕関係情報が表示される。
【発明の効果】
【００１３】
本発明の一側面によれば、番組に含まれる字幕を、有効に利用することができる。
【図面の簡単な説明】
【００１４】
【図１】本発明を適用したTV受像機の一実施の形態の構成例を示すブロック図である。
【図２】表示制御装置４１とEEPROM１９の機能的構成例を示すブロック図である。
【図３】TV受像機１による字幕関連情報表示制御処理を示すフローチャートである。
【図４】TV受像機１による対象番組の設定処理を示すフローチャートである。
【図５】表示部１６の表示例を示す図である。
【図６】表示部１６の表示例を示す図である。
【符号の説明】
【００１５】
１  TV受像機，  １１  チューナ部，  １２  デコーダ部，  １３  信号切換部，  １４  画像キャプチャ処理部，  １５  信号処理部，  １６  表示部，  １７  CPU，  １８  RAM，  １９  EEPROM，  ２０  操作部，  ２１  通信部，  ２２  記憶部，  ２３  ドライブ，  ２４  リムーバブルメディア，  ４１  表示制御装置，  ５１  字幕データ表示制御部，  ５２  お知らせメッセージ表示制御部，  ５２Ａ  判定部
【発明を実施するための最良の形態】
【００１６】
以下、図面を参照して本発明を適用した実施の形態について説明する。【００１７】
図１は、本発明を適用したTV受像機の一実施の形態の構成例を示すブロック図である。【００１８】
即ち、図１において、TV受像機１は、チューナ部１１、デコーダ部１２、信号切換部１３、画像キャプチャ処理部１４、信号処理部１５、表示部１６、CPU(Central Processor Unit)１７，RAM(Random Access Memory)１８，EEPROM(Electrically Erasable and Programmable Read Only Memory)１９、操作部２０、通信部２１、記憶部２２、ドライブ２３、及びリムーバブルメディア２４から構成されている。【００１９】
なお、チューナ部１１、デコーダ部１２、信号切換部１３、画像キャプチャ処理部１４、信号処理部１５、表示部１６、CPU１７，RAM１８，EEPROM１９、操作部２０、通信部２１、記憶部２２、及びドライブ２３は、バスを介して、相互に接続されている。【００２０】
チューナ部１１は、番組を受信する複数の受信手段としての、デジタルチューナ１１Ａ、デジタルチューナ１１Ｂ、及びアナログチューナ１１Ｃから構成される。【００２１】
デジタルチューナ１１Ａは、デジタル放送用のチューナ（メインチューナ）であり、デジタル放送の所定の番組を受信する。すなわち、デジタルチューナ１１Ａは、CPU１７からバスを介して供給される制御信号にしたがい、アンテナから供給されるデジタル放送の放送信号を受信し、その放送信号から、所定の番組に対応する所定の帯域の放送信号を抽出する。さらに、デジタルチューナ１１Ａは、デジタル放送の放送信号から抽出した所定の帯域の放送信号に、復調等の所定の処理を施す。そして、デジタルチューナ１１Ａは、所定の処理を施すことによって得られるトランスポートストリームから、所定の番組のTSパケットを分離して、デコーダ部１２に供給する。【００２２】
デジタルチューナ１１Ｂは、デジタル放送用のチューナ（サブチューナ）であり、デジタルチューナ１１Ａと同様に、デジタル放送の所定の番組を受信する。すなわち、デジタルチューナ１１Ｂは、CPU１７からバスを介して供給される制御信号にしたがい、アンテナから供給されるデジタル放送の放送信号を受信し、その放送信号から、所定の番組に対応する所定の帯域の放送信号を抽出する。さらに、デジタルチューナ１１Ｂは、デジタル放送の放送信号から抽出した所定の帯域の放送信号に、復調等の所定の処理を施す。そして、デジタルチューナ１１Ｂは、所定の処理を施すことによって得られるトランスポートストリームから、所定の番組のTSパケットを分離して、デコーダ部１２に供給する。【００２３】
アナログチューナ１１Ｃは、アナログ放送用のチューナであり、アナログ放送の所定の番組を受信する。すなわち、アナログチューナ１１Ｃは、CPU１７からバスを介して供給される制御信号にしたがい、アンテナから供給されるアナログ放送の放送信号を受信し、その放送信号から、所定の番組に対応する所定の帯域の放送信号を抽出する。さらに、アナログチューナ１１Ｃは、アナログ放送の放送信号から抽出した所定の帯域の放送信号に、復調等の所定の処理を施す。そして、アナログチューナ１１Ｃは、所定の処理を施すことによって得られる所定の番組の画像信号及び音声信号を、信号切換部１３に供給する。【００２４】
ここで、以下、適宜、デジタルチューナ１１Ａが受信する番組をメイン番組ともいい、デジタルチューナ１１Ｂが受信する番組をサブ番組ともいう。【００２５】
デコーダ部１２は、CPU１７からバスを介して供給される制御信号にしたがい、デジタルチューナ１１Ａとデジタルチューナ１１Ｂそれぞれから供給されるメイン番組とサブ番組のTSパケットを、MPEG(Moving Picture Experts Group)デコードし、その結果得られるメイン番組とサブ番組のデータ（信号）を、信号切換部１３に供給する。【００２６】
ここで、TSパケットをMPEGデコードして得られる番組のデータには、画像信号及び音声信号が含まれ、さらには、字幕データが必要に応じて含まれる。【００２７】
信号切換部１３には、デコーダ部１２から、デジタルチューナ１１Ａやデジタルチューナ１１Ｂで受信されたメイン番組とサブ番組のデータが供給され、また、アナログチューナ１１Ｃからアナログ放送の番組の画像信号及び音声信号が供給される他、図示せぬ外部の装置から、画像信号及び音声信号を含む外部入力信号が供給される。【００２８】
信号切換部１３は、CPU１７からバスを介して供給される制御信号にしたがい、デコーダ部１２から供給される、メイン番組、若しくはサブ番組のデータに含まれる画像信号、アナログチューナ１１Ｃから供給される番組の画像信号、又は外部の装置から供給される外部入力信号に含まれる画像信号を選択し、画像キャプチャ処理部１４と信号処理部１５に供給する。【００２９】
また、信号切換部１３は、CPU１７からバスを介して供給される制御信号にしたがい、デコーダ部１２から供給されるメイン番組やサブ番組のデータに含まれる字幕データを、バスを介して、EEPROM１９に供給して記憶させる。【００３０】
さらに、信号切換部１３は、メイン番組、若しくはサブ番組のデータに含まれる画像信号、アナログチューナ１１Ｃから供給される番組の画像信号、又は外部の装置から供給される外部入力信号に含まれる画像信号のうちの、信号処理部１５に供給した画像信号に付随する音声信号を、図示せぬスピーカに供給する。【００３１】
画像キャプチャ処理部１４は、CPU１７からバスを介して供給される制御信号にしたがい、信号切換部１３から供給される画像信号に対応する画像を、所定のタイミングで、キャプチャする処理を行い、その結果得られるキャプチャ画像信号を、バスを介して、例えば、記憶部２２に供給する。【００３２】
信号処理部１５は、信号切換部１３から供給される画像信号を、後述する字幕データやお知らせメッセージ等と、必要に応じて合成し、表示部１６で表示することが可能な形式の画像信号にして、表示部１６に供給する。【００３３】
表示部１６は、信号処理部１５から供給される画像信号に対応する画像を表示する。【００３４】
CPU１７は、EEPROM１９、又は記憶部２２に記憶されているプログラムを実行することにより、TV受像機１を構成する各ブロックの制御等を行う。【００３５】
RAM１８は、CPU１７によって実行されるプログラムやデータ等を、適宜、記憶する。【００３６】
EEPROM１９は、例えば、CPU１７によって実行されるプログラムを記憶する。また、EEPROM１９は、例えば、信号切換部１３からバスを介して供給される字幕データや、ユーザが操作部２０を操作することによって入力したキーワード等を記憶する。【００３７】
操作部２０は、チャンネルや音量を変更する場合等に、ユーザによって操作され、その操作に応じた操作信号を、バスを介して、CPU１７に供給する。【００３８】
通信部２１は、インターネットやローカルエリアネットワークなどのネットワークを介して外部の装置と通信する。例えば、CPU１７が実行するプログラムは、通信部２１を介してダウンロードし、EEPROM１９や記憶部２２にインストールすることができる。【００３９】
記憶部２２は、例えば、ハードディスクなどで構成され、CPU１７が実行するプログラムやデータ等を記憶する。また、記憶部２２は、その他、例えば、画像キャプチャ処理部１４から供給されるキャプチャ画像信号を記憶する。【００４０】
ドライブ２３は、磁気ディスク、光ディスク、光磁気ディスク、或いは半導体メモリなどのリムーバブルメディア２４の着脱が可能となっており、リムーバブルメディア２４が装着されると、リムーバブルメディア２４を駆動し、リムーバブルメディア２４に記録されているプログラムやデータなどの読み出しや、リムーバブルメディア２４への書き込みを行う。なお、ドライブ２３によって、リムーバブルメディア２４から読み出されたプログラムやデータは、必要に応じて、バスを介して、EEPROM１９や記憶部２２に転送され、記憶される。【００４１】
図１のCPU１７は、例えば、EEPROM１９又は記憶部２２に記憶されたプログラムを実行することにより、デジタルチューナ１１Ａで受信された番組（メイン番組）の画像とともに、デジタルチューナ１１Ｂで受信された他の番組（サブ番組）に含まれる字幕データに関する字幕関係情報を表示させる表示制御装置として機能する。【００４２】
図２は、かかる表示制御装置４１と、その表示制御装置４１によって参照されるEEPROM１９の機能的構成例を示すブロック図である。【００４３】
即ち、図２において、表示制御装置４１は、字幕データ表示制御部５１及びお知らせメッセージ表示制御部５２から構成される。【００４４】
表示制御装置４１の字幕データ表示制御部５１は、EEPROM１９に記憶された字幕データを読み出し、バスを介して、信号処理部１５に供給するとともに、その字幕データと、信号切換部１３から信号処理部１５に供給される番組の画像信号とを合成（重畳）するように、信号処理部１５を制御する。これにより、表示部１６では、信号切換部１３から信号処理部１５に供給される番組の画像とともに、字幕データが、テロップとして表示される。【００４５】
お知らせメッセージ表示制御部５２は、判定部５２Ａを有する。判定部５２Ａは、EEPROM１９に記憶された字幕データを読み出し、その字幕データに、あらかじめ指定され、EEPROM１９に記憶されたキーワードが含まれるかどうかを判定する。判定部５２Ａにおいて、EEPROM１９から読み出された字幕データに、あらかじめ指定されたキーワードが含まれると判定された場合、判定部５２Ａは、字幕データにキーワードが含まれる旨のメッセージであるお知らせメッセージを、バスを介して、信号処理部１５に供給し、そのお知らせメッセージと、信号切換部１３から信号処理部１５に供給される番組の画像信号とを合成（重畳）するように、信号処理部１５を制御する。これにより、表示部１６では、信号切換部１３から信号処理部１５に供給される番組の画像とともに、お知らせメッセージが、ポップアップで表示される。【００４６】
次に、TV受像機１の動作について説明する。【００４７】
例えば、ユーザが、操作部２０を操作して、TV受像機１の電源をオンにした後、デジタル放送のあるチャンネルを指定すると、その操作に対応した操作信号が、操作部２０から、バスを介して、CPU１７に供給される。CPU１７は、操作部２０からの操作信号に応じて、制御信号を、バスを介して、チューナ部１１及び信号切換部１３に供給する。【００４８】
チューナ部１１では、デジタルチューナ１１Ａが、CPU１７からの制御信号に応じて、アンテナからの放送信号から、ユーザが操作部２０を操作することにより指定したチャンネルのTSパケットを得て、デコーダ部１２に供給する。【００４９】
デコーダ部１２は、デジタルチューナ１１ＡからのTSパケットをデコードし、その結果得られるメイン番組のデータを、信号切換部１３に供給する。【００５０】
信号切換部１３は、CPU１７からの制御信号に応じて、デジタルチューナ１１Ａからデコーダ部１２を介して供給されるメイン番組のデータを選択し、そのメイン番組のデータに含まれる画像信号を、信号処理部１５に供給する。信号処理部１５は、信号切換部１３からの画像信号に対応する画像を、表示部１６に表示させる。【００５１】
以上のようにして、表示部１６では、ユーザが操作部２０を操作して指定したチャンネルで放送されている番組であるメイン番組の画像が表示される。【００５２】
TV受像機１では、メイン番組の画像が表示部１６に表示された後、又はメイン番組の画像を表示部１６に表示させる処理と並列に、メイン番組の画像とともに、他の番組の字幕データに関係する字幕関係情報を、表示部１６に表示させる字幕関連情報表示制御処理が行われる。【００５３】
図３のフローチャートを参照して、TV受像機１による字幕関連情報表示制御処理について説明する。【００５４】
ステップＳ１において、表示制御装置４１（図２）は、字幕関係情報を表示させる対象の番組（以下、適宜、対象番組という）が放送中であるかどうかを判定する。【００５５】
ここで、対象番組は、後述する図４の処理があらかじめ行われることによって、既に設定されていることとする。また、対象番組が放送中であるかどうかは、表示制御装置４１において、例えば、EPG(Electronic Program Guide)等の番組関連情報から、対象番組の放送日時を認識し、その放送日時に基づいて判定される。【００５６】
ステップＳ１において、対象番組が放送中でないと判定された場合、ステップＳ１に戻る。【００５７】
また、ステップＳ１において、対象番組が放送中であると判定された場合、ステップＳ２に進み、表示制御装置４１は、バスを介して、チューナ部１１のデジタルチューナ１１Ｂを制御することにより、対象番組の受信を開始させて、ステップＳ３に進む。【００５８】
ここで、デジタルチューナ１１Ｂは、表示制御装置４１の制御にしたがい、アンテナからの放送信号から、対象番組のTSパケットを得て、デコーダ部１２に供給する。【００５９】
デコーダ部１２は、デジタルチューナ１１ＢからのTSパケットをデコードし、その結果得られる対象番組のデータを、信号切換部１３に供給する。【００６０】
信号切換部１３は、デジタルチューナ１１Ｂからデコーダ部１２を介して供給される対象番組のデータから、字幕データを分離し、バスを介して、EEPROM１９に供給する。【００６１】
ステップＳ３では、表示制御装置４１は、バスを介してEEPROM１９を制御することにより、信号切換部１３からバスを介してEEPROM１９に供給される対象番組の字幕データの記憶を開始させる。すなわち、これにより、EEPROM１９では、対象番組の字幕データが記憶される。【００６２】
その後、ステップＳ４において、図２の表示制御装置４１は、字幕テロップ表示、つまり、字幕データをテロップとして表示させることがオン（ON）に設定されているかどうかを判定する。【００６３】
ここで、字幕テロップ表示とは、字幕データをテロップのように表示することを意味し、TV受像機１では、例えば、ユーザが操作部２０を操作することにより、字幕テロップ表示をオン又はオフに設定することができるようになっている。【００６４】
ステップＳ４において、字幕テロップ表示がオンに設定されていると判定された場合、ステップＳ５に進み、字幕データ表示制御部５１は、表示部１６に、メイン番組の画像とともに、対象番組の字幕データを表示させることを開始させる。【００６５】
すなわち、字幕データ表示制御部５１は、EEPROM１９に記憶された対象番組の字幕データを読み出し、バスを介して、信号処理部１５に供給するとともに、対象番組の字幕データと、信号切換部１３から信号処理部１５に供給されるメイン番組の画像信号とを合成（重畳）するように、信号処理部１５を制御する。【００６６】
信号処理部１５は、字幕データ表示制御部５１の制御にしたがい、信号切換部１３からのメイン番組の画像の画面の端の領域に、EEPROM１９に記憶された字幕データがテロップとして表示されるように、メイン番組の画像信号と対象番組の字幕データとを合成して、表示部１６に供給する。【００６７】
これにより、表示部１６では、信号切換部１３から信号処理部１５に供給されるメイン番組の画像とともに、対象番組の字幕データが、テロップとして表示される。【００６８】
一方、ステップＳ４において、字幕テロップ表示がオフ（OFF）に設定されていると判定された場合、ステップＳ５をスキップし、ステップＳ６に進み、図２の表示制御装置４１は、キーワードお知らせポップアップ表示、つまり、お知らせメッセージをポップアップで表示させることがオンに設定されているかどうかを判定する。【００６９】
ここで、キーワードお知らせポップアップ表示とは、例えば、ユーザがあらかじめ指定したキーワードが、字幕データに含まれる旨を、ポップアップで表示することを意味し、TV受像機１では、例えば、ユーザが操作部２０を操作することにより、キーワードお知らせポップアップ表示をオン又はオフに設定することができるようになっている。【００７０】
なお、ここでは、ユーザが、操作部２０を操作することにより、キーワードが、EEPROM１９に、既に記憶されていることとする。【００７１】
ステップＳ６において、キーワードお知らせポップアップ表示がオンに設定されていると判定された場合、図２のお知らせメッセージ表示制御部５２は、EEPROM１９に既に記憶されている対象番組の字幕データと、EEPROM１９にあらかじめ記憶されているキーワードとを読み出して、ステップＳ７に進み、対象番組の字幕データに、キーワードが含まれるかどうかを判定する。【００７２】
ステップＳ７において、対象番組の字幕データに、キーワードが含まれると判定された場合、ステップＳ８に進み、お知らせメッセージ表示制御部５２は、字幕データにキーワードが含まれる旨のお知らせメッセージを生成し、バスを介して、信号処理部１５に供給するとともに、そのお知らせメッセージと、信号切換部１３から信号処理部１５に供給されるメイン番組の画像信号とを合成（重畳）するように、信号処理部１５を制御する。【００７３】
信号処理部１５は、お知らせメッセージ表示制御部５２の制御にしたがい、信号切換部１３からのメイン番組の画像の画面の端の領域に、お知らせメッセージがポップアップで表示されるように、メイン番組の画像信号とお知らせメッセージとを合成して、表示部１６に供給する。【００７４】
これにより、表示部１６では、信号切換部１３から信号処理部１５に供給されるメイン番組の画像とともに、お知らせメッセージがポップアップで表示される。【００７５】
一方、ステップＳ６において、キーワードお知らせポップアップ表示はオフに設定されていると判定された場合と、ステップＳ７において、対象番組の字幕データにキーワードが含まれないと判定された場合は、ステップＳ９に進み、表示制御装置４１は、対象番組の放送が終了したかどうかを判定する。【００７６】
ステップＳ９において、対象番組の放送が終了していないと判定された場合、ステップＳ６に戻り、以下、同様の処理が繰り返される。【００７７】
また、ステップＳ９において、対象番組の放送が終了したと判定された場合、ステップＳ１０に進み、表示制御装置４１は、デジタルチューナ１１Ｂを制御することにより、番組の受信を終了させ、さらに、EEPROM１９による字幕データの記憶を終了させる等の終了処理を行い、字幕関連情報表示制御処理を終了する。【００７８】
次に、図４のフローチャートを参照して、TV受像機１による対象番組の設定処理について説明する。【００７９】
例えば、対象番組を設定するように、ユーザが操作部２０を操作すると、CPU１７は、例えば、記憶部２２からEPGを読み出す。【００８０】
すなわち、記憶部２２には、例えば、チューナ部１１が受信した放送信号から抽出したEPG、あるいは、通信部２１が、インターネットのサイト（サーバ）からダウンロードしたEPGが記憶されており、CPU１７は、記憶部２２から、EPGを読み出す。【００８１】
EPGには、番組のタイトル等の他、番組のデータに、字幕データが含まれるかを表す字幕有無情報が含まれており、CPU１７は、字幕有無情報を参照することにより、字幕データが含まれる番組を認識する。【００８２】
そして、CPU１７は、ステップＳ２１において、字幕データが含まれる番組の番組欄を強調して、EPGを表示するように、信号処理部１５を介して表示部１６を制御する。【００８３】
これにより、表示部１６では、EPGが、字幕データを含む番組の番組欄を強調して表示される。【００８４】
以上のように、EPGにおいて、字幕データが含まれる番組の番組欄を強調して表示することにより、ユーザは、字幕データが含まれる番組を、容易に認識することができる。【００８５】
その後、ユーザが、操作部２０を操作して、EPG上の強調表示されている番組欄の中から所望の番組の番組欄を指定すると、ステップＳ２２において、その操作に対応した操作信号が、操作部２０から、バスを介して、CPU１７に供給される。CPU１７は、操作部２０からの操作信号に応じて、ユーザが指定した番組欄の番組を、対象番組として設定する。
すなわち、CPU１７は、ユーザが指定した番組の放送日時等の番組関連情報等を、バスを介して、EEPROM１９に供給して記憶させ、対象番組の設定処理を終了する。【００８６】
次に、図５及び図６を参照して、図１の表示部１６の表示例について説明する。【００８７】
図５は、メイン番組の画像とともに、字幕データが表示されている表示部１６の表示例を示している。【００８８】
図５において、表示部１６には、メイン番組の画像が表示されている。【００８９】
さらに、表示部１６には、メイン番組の画像の右端に、対象番組の字幕データ「東北地方で地震がありました  各地の震度は」が、メイン番組の画像に重畳する形で表示されている。【００９０】
以上のように、TV受像機１において、メイン番組を受信しているデジタルチューナ１１Ａの他のデジタルチューナ１１Ｂによって対象番組を受信し、その対象番組に含まれる字幕データを、メイン番組の画像とともに表示することにより、字幕データを有効に利用することができる。【００９１】
すなわち、ユーザは、メイン番組の画像と、対象番組の字幕データとの両方を見ることができ、したがって、例えば、メイン番組と対象番組との放送時間が重複する場合に、メイン番組と、字幕データが表示される対象番組としての他の番組との両方の番組の内容を把握することができる。【００９２】
図６は、メイン番組の画像とともに、お知らせメッセージが表示されている表示部１６の表示例を示している。【００９３】
図６において、表示部１６には、メイン番組の画像が表示されている。【００９４】
さらに、表示部１６には、メイン番組の画像の右下端に、対象番組の字幕データにキーワードが含まれる旨のお知らせメッセージ「011ch NNKで「プロ野球」がヒットしました」が、ポップアップで表示されている。【００９５】
以上のように、TV受像機１において、メイン番組を受信しているデジタルチューナ１１Ａの他のデジタルチューナ１１Ｂによって対象番組を受信し、その対象番組の字幕データにキーワードが含まれるかどうかを判定し、字幕データにキーワードが含まれるときには、その旨のお知らせメッセージを、メイン番組の画像とともに表示することにより、字幕データを有効に利用することができる。【００９６】
すなわち、例えば、ユーザが、ニュース番組で放送される情報のうちの、プロ野球の情報だけを知りたい場合には、そのニュース番組を対象番組に設定するとともに、キーワードとして、「プロ野球」等を指定しておくことにより、TV受像機１では、対象番組としてのニュース番組において、そのニュース番組に含まれる字幕データに、キーワード「プロ野球」が現れると、図６に示したようなお知らせメッセージが、ポップアップで表示される。【００９７】
このようなお知らせメッセージによれば、ユーザは、メイン番組を視聴している最中に、対象番組としてのニュース番組において、プロ野球の情報の放送が開始されたことを、容易に認識することができ、必要があれば、チャンネルを変更して、ニュース番組を視聴することができる。【００９８】
したがって、お知らせメッセージによれば、ユーザに、対象番組の視聴を促すことができる。【００９９】
なお、対象番組の字幕データが、例えば、複数人の話者の発話内容であり、発話内容としての字幕データの表示色が、話者ごとに異なる色に指定されている場合には、TV受像機１では、その発話内容としての字幕データを、話者ごとに指定されている色で表示することができる。この場合、発話内容を発話した話者を区別することができる。【０１００】
また、TV受像機１では、EEPROM１９に記憶された字幕データを、ユーザの操作に応じて、任意のタイミングで表示することができる。この場合、ユーザは、対象番組の字幕データを見ることで、対象番組の終了後や対象番組の途中からでも、対象番組の内容を把握することができる。【０１０１】
ここで、TV受像機１では、デジタルチューナ１１Ａ、デジタルチューナ１１Ｂ、又はアナログチューナ１１Ｃによって受信された番組のデータすべてを、記憶部２２に録画することができる。ただし、番組のデータすべてを録画する場合には、録画の対象となる番組の画像や音声を記憶するために、記憶部２２として、大容量の記憶装置が必要であり、さらに、記憶部２２として、比較的記憶容量が大きいHDD(Hard Disk Drive)を採用したとしても、すぐに記憶容量が不足してしまう。そこで、番組の内容が把握できる程度で十分な用途では、画像や音声に比べて情報量の少ない字幕データだけを記憶するようにすることで、多数の番組を記憶することができる。このような字幕データのみの録画（記憶）は、チューナ部１１が１つのチューナで構成される場合であっても行うことができる。【０１０２】
また、TV受像機１では、対象番組の字幕データとともに、対象番組の適当な箇所でキャプチャされたキャプチャ画像等を記憶し、後で、字幕データとともに、キャプチャ画像を表示することができる。この場合、ユーザは対象番組の内容を、いわば紙芝居を見るようにして確認することができる。【０１０３】
なお、TV受像機１では、メイン番組の画像に代えて、外部入力信号に含まれる番組の画像や、アナログチューナ１１Ｃによって受信されるアナログ放送で放送される番組の画像とともに、字幕データやお知らせメッセージ等の字幕関係情報を表示することができる。【０１０４】
また、字幕データとしては、デジタル放送の番組に含まれる字幕データの他、番組の画像を対象に文字認識をして、その文字認識によって得られる文字列（文字データ）を採用することもできる。【０１０５】
上述した対象番組の設定処理においては、対象番組を、番組単位ではなく、チャンネル単位で設定することもできる。すなわち、あるチャンネルで放送される、字幕データを含む番組すべてを、対象番組として設定するようにすることもできる。【０１０６】
以上、本発明を、番組を受信する複数のチューナを有するTV受像機に適用した場合について説明したが、本発明は、その他、例えば、表示部１６を有しない受信装置や、インターネット放送の番組を受信する受信装置等に適用することができる。【０１０７】
なお、本明細書において、プログラム記録媒体に格納されるプログラムを記述するステップは、記載された順序に沿って時系列的に行われる処理はもちろん、必ずしも時系列的に処理されなくとも、並列的あるいは個別に実行される処理をも含むものである。【０１０８】
また、本発明の実施の形態は、上述した実施の形態に限定されるものではなく、本発明の要旨を逸脱しない範囲において種々の変更が可能である。
【図１】
2008018479.tif 000003
【図２】
2008018479.tif 000004
【図３】
2008018479.tif 000005
【図４】
2008018479.tif 000006
【図５】
2008018479.tif 000007
【図６】
2008018479.tif 000008
【国際調査報告】
2008018479.tif 000009
2008018479.tif 000010
2008018479.tif 000011
2008018479.tif 000012